(57)【要約】【課題】汎用性が高く、グラブバケットを水中に沈める際に作用する余分な浮力を低減し、仕上げ掘りを行う際の作業性を向上できるグラブバケット容量調整治具および浚渫方法を提供する。【解決手段】浚渫用グラブバケット２０のバケットシェル２１の内壁２２に、バケットシェル２１の内壁２２に内側に向かって突設されている補強リブ２３以上に内側に突出する突出部２ａを有する取付け部材２を固定し、突出部２ａの突出先端側に容量調整ボックス５を着脱自在に取付ける。そして、容量調整ボックス５のボックス内部に液体Ｌを密閉して収容した状態にして、このグラブバケット容量調整治具１を装着した状態のグラブバケット２０を用いて、所定の仕上げ深さを残して浚渫された水底地盤Ｇに対して仕上げ深さまでの仕上げ掘りを行う。【選択図】図２
2018104987.tif 000002
【特許請求の範囲】
【請求項１】
浚渫用グラブバケットのバケットシェルの内側に装着されることにより、一対の前記バケットシェルが閉じた状態のバケット容積を変化させるグラブバケット容量調整治具において、
前記バケットシェルの内壁に内側に向かって突設されている補強リブ以上に内側に突出する突出部を有して前記内壁に固定される取付け部材と、前記突出部の突出先端側に着脱自在に取付けられる容量調整ボックスとを備えて、前記容量調整ボックスがボックス内部と外部とを連通させる連通部とこの連通部を開閉する開閉部とを有して、ボックス内部に液体を密閉して収容可能な構成にしたことを特徴とするグラブバケット容量調整治具。
【請求項２】
前記容量調整ボックスが、複数の前記補強リブを跨いだ状態で前記突出部の突出先端側に取付けられる請求項１に記載のグラブバケット容量調整治具。
【請求項３】
前記突出部の突出先端側に取付けられた前記容量調整ボックスと前記内壁とが対向するすき間に介設される緩衝体を備えた請求項１または２に記載のグラブバケット容量調整治具。
【請求項４】
前記バケットシェルの開口端に臨む位置に配置された前記容量調整ボックスの前記開口端の側の外壁が、前記開口端に向かうに連れて前記容量調整ボックスの前記突出部からの突出量が小さくなる方向に傾斜する状態になる請求項１〜３のいずれかに記載のグラブバケット容量調整治具。
【請求項５】
請求項１〜４のいずれかに記載のグラブバケット容量調整治具をバケットシェルの内側に装着し前記容量調整ボックスのボックス内部に液体を密閉して収容した状態にして、この状態の前記グラブバケットを用いて、所定の仕上げ深さを残して浚渫された水底地盤に対して前記仕上げ深さまでの仕上げ掘りを行うことを特徴とする浚渫方法。
【発明の詳細な説明】
【技術分野】
【０００１】
本発明は、グラブバケット容量調整治具および浚渫方法に関し、さらに詳しくは、汎用性が高く、グラブバケットを水中に沈める際に作用する余分な浮力を低減し、仕上げ掘りを行う際の作業性を向上できるグラブバケット容量調整治具および浚渫方法に関するものである。
【背景技術】
【０００２】
グラブバケットによって浚渫を行う場合には、工程の最初の浚渫から仕上げ掘りまで同じバケット容量のグラブバケットを使用して浚渫を行うことが一般的である。しかしながら、仕上げ掘りの際に、仕上げ深さがそのグラブバケットによる最大掘り深さよりも小さくなると、バケットシェルの内部に余分な水を多く取り込んでしまうことになる。そのため、仕上げ掘り時にはバケット容量に対する土砂量の割合（含泥率）が低くなり、作業効率が低下するという問題がある。さらに、浚渫した土砂とともに余分な水も運搬することになるため、運搬効率や土砂処理場での処理効率を低下させる要因ともなる。
【０００３】
そこで、仕上げ掘り時における含泥率の向上を図る手段として、バケット内部の密閉空間の容積を変更できる浚渫用グラブバケットが提案されている（例えば、特許文献１参照）。特許文献１の浚渫用グラブバケットでは、バケットシェルの内部に区分された区室に板状の第１区画板と第２区画板とで構成した区画体を装着することによりバケット容量に対する減容空間を画成している。そして、減容空間の内部に水が浸入することを防ぐために発泡樹脂からなる充填部材を配置している。
【０００４】
しかしながら、この浚渫用グラブバケットでは、予め減容空間の形状に合わせて加工した充填部材を用意する必要があり、浚渫現場においても充填部材を減容空間の内部に設置する作業が必要となる。バケット容量が大きい場合には、充填部材は巨大になるため取り扱いが困難となる。充填部材を複数に分割した場合にも搬送や設置作業に多くの労力を有する。さらに、発泡樹脂で形成された充填部材は水に比べて比重が非常に小さいため、水中に沈める際にグラブバケットには充填部材による余分な浮力が作用することになり、仕上げ掘りを行う際の作業性は著しく低下する。
【先行技術文献】
【特許文献】
【０００５】
【特許文献１】特開２０１５−８３７３４号公報
【発明の概要】
【発明が解決しようとする課題】
【０００６】
本発明の目的は、汎用性が高く、グラブバケットを水中に沈める際に作用する余分な浮力を低減し、仕上げ掘りを行う際の作業性を向上できるグラブバケット容量調整治具および浚渫方法を提供することにある。
【課題を解決するための手段】
【０００７】
上記目的を達成するため本発明のグラブバケット容量調整治具は、浚渫用グラブバケットのバケットシェルの内側に装着されることにより、一対の前記バケットシェルが閉じた状態のバケット容積を変化させるグラブバケット容量調整治具において、前記バケットシェルの内壁に内側に向かって突設されている補強リブ以上に内側に突出する突出部を有して前記内壁に固定される取付け部材と、前記突出部の突出先端側に着脱自在に取付けられる容量調整ボックスとを備えて、前記容量調整ボックスがボックス内部と外部とを連通させる連通部とこの連通部を開閉する開閉部とを有して、ボックス内部に液体を密閉して収容可能な構成にしたことを特徴とする。
【０００８】
本発明の浚渫方法は、上記のグラブバケット容量調整治具をバケットシェルの内側に装着し前記容量調整ボックスのボックス内部に液体を密閉して収容した状態にして、この状態の前記グラブバケットを用いて、所定の仕上げ深さを残して浚渫された水底地盤に対して前記仕上げ深さまでの仕上げ掘りを行うことを特徴とする。
【発明の効果】
【０００９】
本発明のグラブバケット容量調整治具によれば、バケットシェルの内壁に補強リブ以上に内側に突出する突出部を有する取付け部材を固定することにより、バケットシェルの内壁の補強リブの影響を排除して容量調整ボックスを取付けることが可能になる。これにより、一種類の容量調整ボックスであっても仕様の異なる様々なグラブバケットに取付けることが可能になるので非常に汎用性が高くなる。さらに、連通部を通じて容量調整ボックスの内部に容易に液体を注入できる。容量調整ボックスを取付けることにより仕上げ掘りに適したバケット容量に調整できるだけでなく、容量調整ボックスの内部に液体を密閉して収容した状態にすることで、水中に沈める際にグラブバケットに作用する余分な浮力を低減することができる。これにより、仕上げ掘りを行う際の作業性を向上させることができる。
【００１０】
本発明の浚渫方法によれば、上記のグラブバケット容量調整治具を装着した状態のグラブバケットを用いて仕上げ掘りを行うことで、バケットシェルの内部に取り込む余分な水を低減し、仕上げ掘り時におけるバケット容量に対する土砂量の割合（含泥率）を高くできる。これにより、仕上げ掘りの作業効率を向上させることができる。余分な水の低減に伴い、運搬効率や土砂処理場での処理効率の向上を図ることもできる。
【００１１】
上記のグラブバケット容量調整治具において、前記容量調整ボックスが、複数の前記補強リブを跨いだ状態で前記突出部の突出先端側に取付けられる構成にすると、容量調整ボックスのサイズが大きくなるので、容量調整ボックスの数を減らすことができる。これに伴い、容量調整ボックスの取付け作業に要する工数を低減するには有利になる。
【００１２】
上記のグラブバケット容量調整治具において、前記突出部の突出先端側に取付けられた前記容量調整ボックスと前記内壁とが対向するすき間に介設される緩衝体を備えた構成にすることもできる。この構成にすると、容量調整ボックスに作用する衝撃等が緩衝体により緩和される。これにより、容量調整ボックスの変形や破損を防止するには有利になる。
【００１３】
上記のグラブバケット容量調整治具において、前記バケットシェルの開口端に臨む位置に配置された前記容量調整ボックスの前記開口端の側の外壁が、前記開口端に向かうに連れて前記容量調整ボックスの前記突出部からの突出量が小さくなる方向に傾斜する状態になる構成にすることもできる。この構成にすると、浚渫を行う際に土砂をバケットシェル内により円滑に取り込むことが可能となる。これにより、仕上げ掘りを行う際の作業性を向上させるには有利になる。
【図面の簡単な説明】
【００１４】
【図１】本発明のグラブバケット容量調整治具を装着したグラブバケットが全開している状態を縦断面視で例示する説明図である。
【図２】図１のグラブバケット容量調整治具近傍を拡大して例示する説明図である。
【図３】図２のＡ矢視で、本発明のグラブバケット容量調整治具を装着していない状態のバケットシェルの内面を例示する説明図である。
【図４】図３のバケットシェルの内壁に取付け部材を固定した状態を例示する説明図である。
【図５】図４の取付け部材に容量調整ボックスを取付けた状態を一部を切欠いて例示する説明図である。
【図６】図５のＢ−Ｂ断面図である。
【図７】図５のＣ−Ｃ断面図である。
【図８】本発明のグラブバケット容量調整治具を装着したグラブバケットで仕上げ掘りをしている状態を縦断面視で例示する説明図である。
【発明を実施するための形態】
【００１５】
以下、本発明のグラブバケット容量調整治具および浚渫方法を図に示した実施形態に基づいて説明する。
【００１６】
図１、図２に例示する本発明のグラブバケット容量調整治具１（以下、治具１）は、浚渫用グラブバケット２０のバケットシェル２１の内側に装着されることにより、一対のバケットシェル２１が閉じた状態のバケット容積を変化させる。
【００１７】
本発明の治具１は、バケットシェル２１の内壁２２に固定される取付け部材２と、取付け部材２に着脱自在に取付けられる容量調整ボックス５とを備えている。この実施形態では、さらに、容量調整ボックス５を取付け部材２に対して着脱自在に固定する固定具１０と、衝撃を吸収する緩衝体１１とを備えている。バケットシェル２１の内壁２２は、一対のバケットシェル２１が閉じた状態で、バケットシェル内側の上方に位置する壁面である。
【００１８】
図３に示すように、バケットシェル２１の内壁２２には、バケットシェル２１を補強するための補強リブ２３が設けられている。補強リブ２３は、内壁２２から内側に突出されて配設されているため、内壁２２は凹凸がある形状となっている。この実施形態では、断面が三角形状の補強リブ２３が格子状に配設された内壁２２を例示している。図中のＸ方向、Ｙ方向、Ｚ方向は、それぞれ左側のバケットシェル２１における内壁２２の短手方向、補強リブ２３の突出方向、内壁２２の長手方向を示している。
【００１９】
補強リブ２３の形状や配置、寸法等は、グラブバケット２０の種類やサイズによって様々である。それ故、バケットシェル２１の内壁２２に直接容量調整ボックス５を安定して取付けることは難しい。そこで、図２、図４に示すように、本発明ではバケットシェル２１の内壁２２に、補強リブ２３以上に内側に突出する突出部２ａを有する取付け部材２を溶接等によって固定する。これにより、補強リブ２３の影響を排除して容量調整ボックス５を取付けることが可能な土台を形成する。
【００２０】
取付け部材２は、例えば、金属製の管状部材や板状部材、形鋼、木製の角材などから形成する。取付け部材２の形状やサイズは、バケットシェル２１の内壁２２の形状（補強リブ２３の大きさや配置等）や容量調整ボックス５のサイズなどに応じて適宜決定することができる。
【００２１】
図６に示すように、この実施形態の取付け部材２は、天板部３と、天板部３を支持する複数の脚部４で構成されている。脚部４は鉄鋼製の管状部材で形成され、天板部３は鉄鋼製の板状部材で形成されている。脚部４は天板部３の長手方向に間隔をあけて配設されていて、それぞれの脚部４の一端面は天板部３に接合されている。治具１をバケットシェル２１に装着する際には、脚部４の他端面はそれぞれバケットシェル２１の内壁２２に固定され、取付け部材２の突出部２ａの突出先端側となる天板部３に容量調整ボックス５が取付けられる。それぞれの脚部４は内壁２２に固定した際に、補強リブ２３どうしの間の平面部分に位置するように配置されている。補強リブ２３の突出方向における脚部４の突出高さ寸法Ｈ２は、補強リブ２３の突出高さ寸法Ｈ１以上に設定されている。天板部３には、天板部３の長手方向に間隔をあけて複数のボルト孔２ｂが形成されている。この実施形態では、天板部３と補強リブ２３の頂点との間にすき間があるが、天板部３を補強リブ２３の頂点に当接させてもよい。
【００２２】
図７に示すように、容量調整ボックス５は、ボックス内部と外部とを連通させる連通部６と、この連通部６を開閉する開閉部７とを有していて、ボックス内部に液体Ｌを密閉して収容できる構成になっている。容量調整ボックス５は、例えば、鉄鋼やアルミニウム、アルミニウム合金などで形成される。容量調整ボックス５の形状やサイズ、容量（外側の容積）などは特に限定されず、様々な構成にすることができる。容量調整ボックス５をアルミニウム、アルミニウム合金などで形成すると、容量調整ボックス５の軽量化を図るには有利である。
【００２３】
同時に使用する容量調整ボックス５は同じ仕様の１種類にすることもできるが、この実施形態では、図２に示すように、形状の異なる２種類の容量調整ボックス５（５ａ、５ｂ）が用いられている。バケットシェル２１の開口端２４から離れた位置に取付ける容量調整ボックス５ａは直方体形状に形成されている。バケットシェル２１の開口端２４は、グラブバケット２０を全開させた状態で、バケットシェル２１の内壁２２の下側に位置する端部である。バケットシェル２１の開口端２４に臨む位置に取付ける容量調整ボックス５ｂは、錐台形状に形成されている。容量調整ボックス５ｂの外壁は、バケットシェル２１の開口端２４の側に配置されたときに開口端２４に向かうに連れて容量調整ボックス５の突出部２ａからの突出量が小さくなる方向に傾斜するように形成されている。
【００２４】
図６に示すように、それぞれの容量調整ボックス５には、容量調整ボックス５を貫通するように、複数のボルト孔８が形成されている。容量調整ボックス５に設けられたボルト孔７と取付け部材２に設けられたボルト孔２ｂとはそれぞれ対応する位置に配置されている。
【００２５】
容量調整ボックス５の内部には、容量調整ボックス５を横断して、その内周面に接合されている補強部材９（９ａ、９ｂ）が設けられている。補強部材９は、例えば、板状の金属板の両端部を容量調整ボックス５の対向する内周面に溶接等で接合させて形成される。補強部材９は、容量調整ボックス５の隣り合う内周面どうしを連結する仕様にすることもできる。このように、容量調整ボックス５の内部に補強部材９を設けると、容量調整ボックス５の強度を高めるには有利になる。
【００２６】
この実施形態では、補強リブ２３の突出方向における容量調整ボックス５の中央部分に内壁２２の短手方向に延在する板状の補強部材９ａが設けられている。補強リブ２３の突出方向における上方部分と下方部分には、内壁２２の長手方向に延在する板状の補強部材９ｂが設けられている。補強部材９ａと補強部材９ｂとの間には液体Ｌが通過可能なすき間が確保されており、連通部６から液体Ｌを注入することで容量調整ボックスの内部の全体に液体Ｌを充填できるようになっている。
【００２７】
開閉部７は、スクリューキャップ型の蓋体で構成されている。開閉部７は、他にも例えば、ヒンジキャップ型の蓋体などで構成することもできる。この実施形態では、固定具１０として、スタッドボルト１０ａとナット１０ｂを用いている。緩衝体１１としては、例えば、独立気泡を有するスポンジや弾性部材などを用いることができる。図７に示すように、補強リブ２３の突出方向における緩衝体１１の突出高さ寸法Ｈ４は、取付け部材２の突出高さ寸法Ｈ３と概ね同じ大きさに設定されている。
【００２８】
次に、治具１を使用して浚渫を行う方法を説明する。
【００２９】
まず、治具１を装着していない状態のグラブバケット２０を用いて、所定の仕上げ深さを残して水底地盤Ｇの浚渫を行なう。仕上げ深さはグラブバケット２０の最大掘り深さよりも浅い深さである。図１および図８では、仕上げ深さを残した状態の水底地盤Ｇを実線で示し、仕上げ掘り予定の深さを一点鎖線で示している。所定の仕上げ深さを残した状態でグラブバケット２０により通常の浚渫を行うと、仕上げ深さに対してバケット容量が大きいため、余分な水Ｗを多く取り込んでしまう。そこで、本発明では、バケットシェル２１の内側に治具１を装着することにより、グラブバケット２０のバケット容量を減容させる。
【００３０】
治具１を装着する手順としては、例えば、図４に示すように、バケットシェル２１の内壁２２に取付け部材２を固定する。取付け部材２と内壁２２とは例えば、溶接やボルト締めで接合する。この実施形態では、１つのバケットシェル２１に対して４つの取付け部材２を内壁２２の長手方向に間隔をあけて配置している。それぞれの取付け部材２は、天板部３を複数の補強リブ２３を跨ぐように内壁２２の短手方向に延在配置し、内壁２２の補強リブ２３どうしの間の平面部分において、それぞれの取付け部材２の脚部４と内壁２２とを溶接で接合している。取付け部材２どうしの間に位置する内壁２２の平面部分には、緩衝体１１を設置する。緩衝体１１は例えば、接着剤やボルトなどを用いて内壁２２に固定する。
【００３１】
次いで、図５に示すように、内空の状態の容量調整ボックス５を取付け部材２の突出部２ａの突出先端側に取付ける。この実施形態では、１つのバケットシェル２１に対して、バケットシェル２１の開口端２４から離れた位置に直方体形状の容量調整ボックス５ａを２つ配置し、バケットシェル２１の開口端２４に臨む位置に錐台形状の容量調整ボックス５ｂを２つ配置している。
【００３２】
それぞれの容量調整ボックス５は、複数の補強リブ２３を跨いだ状態で配置されている。グラブバケット２０の前後左右において重量バランスが均等になるように、容量調整ボックス５をバケットシェル２１の内壁２２の長手方向における中央部分に配置し、左右のそれぞれのバケットシェル２１に、同じ容量の容量調整ボックス５を同じ配置で取付けている。
【００３３】
この実施形態では、それぞれの容量調整ボックス５のボルト孔８にスタッドボルト１０ａを挿通させて、スタッドボルトの一端部を取付け部材２のボルト孔２ｂに嵌合させて固定し、容量調整ボックス５から突出したスタッドボルト１０ａの他端部をナット１０ｂで締めて固定している。図７に示すように、容量調整ボックス５が取付けられると、緩衝体１１は容量調整ボックス５に当接した状態で、容量調整ボックスと内壁２２とが対向するすき間に介設された状態となる。
【００３４】
次いで、取付けが完了した容量調整ボックス５の開閉部７を開けて、ポンプなどを用いて連通部６を通じて容量調整ボックス５の内部に液体Ｌを注入する。液体Ｌとしては、例えば、浚渫を行う水域の水Ｗなどを利用することができる。そして、ボックス内部に液体Ｌを貯留した状態で開閉部７を閉じることにより、容量調整ボックス５の内部に液体Ｌを密閉して収容した状態にする。図８に示すように、仕上げ掘りは、この治具１を装着してバケット容量を減容したグラブバケット２０を用いて、仕上げ深さまでの浚渫を行う。
【００３５】
浚渫作業が完了した後には、開閉部７を開けて、ポンプなどを用いて容量調整ボックス５の内部に収容されている液体Ｌを外部に排出する。次いで、スタッドボルト１０ａからナット１０ｂを外して容量調整ボックス５を取付け部材２から取り外す。そして、取付け部材２からスタッドボルト１０ａを取り外して、バケットシェル２１から緩衝体１１と取付け部材２を取り外す。容量調整ボックス５や固定具１０、緩衝体１１などは、異なる現場や異なるグラブバケット２０において繰り返し使用することができる。
【００３６】
このように、本発明では、バケットシェル２１の内壁２２に補強リブ２３以上に内側に突出する突出部２ａを有する取付け部材２を固定することにより、バケットシェル２１の内壁２２の補強リブ２３の影響を排除して容量調整ボックス５を取付けることが可能になる。これにより、一種類の容量調整ボックス５であっても仕様の異なる様々なグラブバケット２０に取付けることが可能になるので非常に汎用性が高い。
【００３７】
さらに、連通部６を通じて容量調整ボックス５の内部に容易に液体Ｌを注入できる。容量調整ボックス５を取付けることにより仕上げ掘りに適したバケット容量に調整できるだけでなく、容量調整ボックス５の内部に液体Ｌを密閉して収容した状態にすることで、水中に沈める際にグラブバケットに作用する余分な浮力を低減することができる。これにより、仕上げ掘りを行う際の作業性を向上させることができる。容量調整ボックス５の内部に液体Ｌを収容した状態にすることで、ボックス内部が内空の状態よりも容量調整ボックス５が変形し難くなるという効果もある。したがって、容量調整ボックス５を繰り返し使用するには最適な仕様になっている。
【００３８】
治具１を装着した状態のグラブバケットを用いて仕上げ掘りを行うことで、バケットシェル２１の内部に取り込む余分な水Ｗを低減し、仕上げ掘りを行う際のバケット容量に対する土砂Ｓの量の割合（含泥率）を高くできる。これにより、仕上げ掘り時の作業効率を向上させることができる。余分な水Ｗの低減に伴い、運搬効率や土砂処理場での処理効率の向上を図ることもできる。また、容量調整ボックス５は取り外し可能な構成になっているので、バケットシェル２１に装着する容量調整ボックス５のサイズや個数を変更することで、現場の状況に応じて、グラブバケット２０のバケット容量を臨機応変に調整することも可能である。
【００３９】
この実施形態のように、複数の補強リブ２３を跨いだ状態で突出部２ａの突出先端側に取付けられる構成にすると、容量調整ボックス５のサイズが大きくなるので、容量調整ボックス５の数を減らすことができる。これに伴い、容量調整ボックス５の取付け作業に要する工数を低減するには有利である。
【００４０】
容量調整ボックス５と内壁２２とが対向するすき間に緩衝体１１を介設させると、容量調整ボックス５に作用する衝撃等が緩衝体１１により緩和される。これにより、容量調整ボックス５の変形や破損を防止するには有利になる。緩衝体１１は、例えば、取付け部材２と容量調整ボックス５との間に介装させる構成にすることもできる。
【００４１】
容量調整ボックス５ｂのように、バケットシェル２１の開口端２４に臨む位置に配置された容量調整ボックス５の開口端２４の側の外壁を、開口端２４に向かうに連れて容量調整ボックス５の突出部２ａからの突出量が小さくなる方向に傾斜する状態にすると、浚渫を行う際に土砂Ｓをバケットシェル２１内により円滑に取り込むことが可能となる。これにより、仕上げ掘りを行う際の作業効率を向上させるには有利になる。さらに、バケットシェル２１内に土砂Ｓが流入する際の容量調整ボックス５に作用する衝撃等を低減できるので、容量調整ボックス５の変形や破損を防止するにも有利になる。
【００４２】
上記の実施形態では、天板部３と脚部４で構成された取付け部材２を例示したが、取付け部材２は、他にも例えば、内壁２２の補強リブ２３に対応する位置に溝を形成した管状部材などで構成することもできる。或いは、突出部２ａを補強リブ２３の頂点と同じレベルにして、容量調整ボックス５が突出部２ａと補強リブ２３の頂点とに当接して取付け部材２に取付けられる構成にすることもできる。グラブバケット２０に取付ける容量調整ボックス５の容量や個数、配置なども上記の実施形態に限定されず、グラブバケット２０の減容するべき容量やバケットシェル２１の形状、サイズなどに応じて適宜決定することができる。左右それぞれのバケットシェル２１に異なる総容量の容量調整ボックス５を取付ける構成にすることもできるし、片方のバケットシェル２１のみに治具１を取付ける構成にすることもできる。
【００４３】
上記の実施形態では、仕上げ掘り前まで使用したグラブバケット２０に治具１を装着して、そのグラブバケット２０を使用して仕上げ掘りを行う場合を例示したが、本発明の浚渫方法はこれに限定されない。例えば、仕上げ掘り前まで使用するグラブバケット２０と仕上げ掘りを行うグラブバケット２０とを別々に用意して、後者のグラブバケット２０に治具１を装着する。そして、治具１を装着したグラブバケット２０を仕上げ掘り専用にして浚渫を行うこともできる。
【符号の説明】
【００４４】
１  グラブバケット容量調整治具
２  取付け部材
２ａ  突出部
２ｂ  ボルト孔
３  天板部
４  脚部
５、５ａ、５ｂ  容量調整ボックス
６  連通部
７  開閉部
８  ボルト孔
９、９ａ、９ｂ  補強部材
１０  固定具
１０ａ  スタッドボルト
１０ｂ  ナット
１１  緩衝体
２０  グラブバケット
２１  バケットシェル
２２  内壁
２３  補強リブ
２４  開口端
Ｌ  液体
Ｓ  土砂
Ｗ  水
Ｇ  水底地盤
【図１】
2018104987.tif 000003
【図２】
2018104987.tif 000004
【図３】
2018104987.tif 000005
【図４】
2018104987.tif 000006
【図５】
2018104987.tif 000007
【図６】
2018104987.tif 000008
【図７】
2018104987.tif 000009
【図８】
2018104987.tif 000010